(57)【要約】【課題】  簡単な構造により重錘の重さを自由に調節でき、且つ、キュー全体の前後バランスを自由に変えられるキューの重心調節構造を提供する。【解決手段】  バット２とシャフトとを連結してなるキューを設け、このキューのバット２内に中空孔２ａを穿設して内部に摺動自在な重錘１０を備えて重心位置を変えるキューの重心調節構造であって、バット２に穿設した中空孔２ａと、この内部に嵌入する重錘１０との嵌合面に回転を防止する平坦面Ａを有し、この平坦面Ａにより中空孔２ａ内で回転を防止した重錘１０に重さ調節用のネジ１６を内在して締結することで、重錘１０の外側がネジ１６の頭部１６ａと締結部１６ｂとにより摺動方向両端から圧縮されて中空孔２ａ内で外側に付勢して所望位置に固定し、キューの重心位置を調節可能に設ける。【選択図】      図２
2005261600.tif 000002
【特許請求の範囲】
【請求項１】
ビリヤードの球を突く先端から後端までを一本または複数本連結してなるキュー内に、中空孔を穿設して内部に摺動自在な重錘を備え、重心位置を変えるキューの重心調節構造において、
前記キューの中空孔と、この内部に嵌入する前記重錘との嵌合面に回転を防止する少なくとも１つ以上の平坦面を有し、この平坦面により前記中空孔内で回転を防止した前記重錘に重さ調節用のネジを内在して締結することで、前記重錘の外側が前記ネジの頭部と締結部とにより摺動方向両端から圧縮されて前記中空孔内で外側に付勢して所望位置に固定し、前記キューの重心位置を調節可能に設けたことを特徴とするキューの重心調節構造。
【請求項２】
前記重錘は、前記ネジと、このネジを挿通して両端から中心に向かって傾斜して広がるテーパ部を有した第１部材と、この第１部材両側のテーパ部に各々係合して一方が前記ネジの頭部側に配置されて他方が前記ネジの締結部に締結することで両側から指圧されて前記テーパ部に沿って外側に付勢する一対の第２部材とを備え、前記第１部材と前記第２部材とに前記平坦面を有して前記中空孔内での回転を防止させて前記ネジを締結することを特徴とする請求項１に記載のキューの重心調節構造。
【請求項３】
前記重錘は、前記ネジと、このネジの締結部に挿通して終端で頭部に当接させたゴムなどの軟質材からなる圧縮部材と、前記ネジの締結部に締結させて前記圧縮部材を前記頭部側に指圧して外側に付勢させるナットとを備え、このナットと前記圧縮部材とに前記平坦面を有して前記中空孔内での回転を防止させて前記ネジを締結することを特徴とする請求項１に記載のキューの重心調節構造。
【請求項４】
前記中空孔は、前記キューの中心に穿設した穴内に前記平坦面を有して前記重錘を摺動可能に収納するパイプ材を内在して形成することを特徴とする請求項１乃至３に記載のキューの重心調節構造。
【請求項５】
前記重錘は、前記ネジの形状または前記ネジを形成するジュラルミン或いはステンレスなどの材質を変えることで、前記重心位置を変える重さを調節可能に設けたことを特徴とする請求項１乃至４いずれかに記載のキューの重心調節構造。
【請求項６】
前記キューは、前記球を突く先端側を形成するシャフトと、後端側を形成するバットとを連結してなり、このバットに前記中空孔を穿設して前記重錘を収納することを特徴とする請求項１乃至５いずれかに記載のキューの重心調節構造。
【請求項７】
前記重錘は、前記キューの中空孔内に挿入した状態で、前記ネジの頭部に係合して所望位置に摺動させて回転して固定するとともに、この固定後に前記頭部から外れて取り出せる工具を用いて着脱及び調節することを特徴とする請求項１乃至６いずれかに記載のキューの重心調節構造。
【発明の詳細な説明】
【技術分野】
【０００１】
本発明はキューの重心調節構造に係り、より詳細には、一本または複数本連結してなるキュー内に中空孔を穿設して内部に摺動自在の重錘を備えて重心位置を変えるキューの重心調節構造に関する。
【背景技術】
【０００２】
従来、ビリヤードキューの重心調節構造は、プレーヤーの体格やプレイスタイルが様々なことから各プレーヤーに適した重さ、バランスに合わせて調節することが最も重要であり、例えば、球を突く先端から後端まで延在する棒状体内に中空孔を穿設して内部に摺動自在の重錘を備えて重心位置を変える構造が知られていた。
【特許文献１】実公昭３８−４３５１号公報（第１頁、第１−２図）
【０００３】
前者の方法による例を、図９および図１０にて説明する。図９は、重心位置を調節可能な従来のキューの重心調節構造の一実施形態を示す構成図である。また、図１０は、図９に示したＥ−Ｅ線の断面を示す断面図である。
【０００４】
図９に示すように、従来のキューの重心調節構造の一実施形態は、球を突く先端側を形成するシャフト４４と後端側を形成するバット４２とを結合部Ｆで結合した棒状のキュー４０を備え、このキュー４０内の中心に中空孔４０ａを穿設して後端面（バット４２の端面）より摘手５２に結合して延在する螺杆５４を挿入し、この螺杆５４に摺動自在の重錘５０を螺合する構造を備えている。このキュー４０は、バット４２及びシャフト４４を２本で構成することに限定されず、例えば、一本または２本以上連結して形成することもある。
【０００５】
このような従来のキューの重心調節構造の一実施形態は、摘手５２をもって螺杆５４を右または左に回転させることで、これに螺合している重錘５０が中空孔４０ａ内で前または後に移動して重心位置を調節できる。ここで、中空孔４０ａ及び重錘５０は、図１０に示すように、お互い嵌合した嵌合面に回転を防止する４つの平坦面Ａ、即ち、断面形状が正方形に形成され、摘手５２の回転とともに重錘５０が同時に回転しないように形成している。これにより、プレーヤーは、ビリヤードの競技中において、キュー４０のさばき（キュー４０を握る箇所及びレストの位置）に応じて、摘手５２を回転することで容易にキュー４０の重心位置を前後に調節することができる。
【０００６】
このように従来のキューの重心調節構造は、キュー４０の後端の摘手５２を状況に応じて適宜回転させることで、キュー４０全体における重心位置を自由に調節でき、キュー４０のバランスが重要となる押しや引きなどの難しい技術を良好に行えるように形成していた。
【発明の開示】
【発明が解決しようとする課題】
【０００７】
しかしながら、従来のキューの重心調節構造では、中空孔４０ａに摘手５２、螺杆５４、及び重錘５０の３つの構成部品を要するため、このキュー４０全体が重くなり微妙な重さ調節が困難であり、例えば、キュー４０全体のバランスを変えずに重さのみを（軽く）変える場合や、キュー４０全体の重さを変えずに（軽くして）バランスのみを変える場合には適していないという不具合があった。
又、従来のキューの重心調節構造では、キュー４０の中空孔４０ａ内で重錘５０が螺杆５４に螺合しながら移動するため、この内部でしっかりと固定できなかった（クリアランスを設けて固定）。そのため、球を撞くと異音が発生したり故障の原因になるという不具合があった。
【０００８】
本発明はこのような課題を解決し、簡単な構造により重錘の重さを自由に調節でき、且つ、キュー全体の前後バランスを自由に変えられるキューの重心調節構造を提供することを目的とする。
【課題を解決するための手段】
【０００９】
本発明は上述の課題を解決するために、ビリヤードの球を突く先端から後端までを一本または複数本連結してなるキュー内に中空孔を穿設して内部に摺動自在な重錘を備えて重心位置を変えるキューの重心調節構造であって、キューの中空孔と、この内部に嵌入する重錘との嵌合面に回転を防止する少なくとも１つ以上の平坦面を有し、この平坦面により中空孔内で回転を防止した重錘に重さ調節用のネジを内在して締結することで、重錘の外側がネジの頭部と締結部とにより摺動方向両端から圧縮されて中空孔内で外側に付勢して所望位置に固定し、キューの重心位置を調節可能に設ける。
【００１０】
ここで、重錘は、ネジと、このネジを挿通して両端から中心に向かって傾斜して広がるテーパ部を有した第１部材と、この第１部材両側のテーパ部に各々係合して一方がネジの頭部側に配置されて他方がネジの締結部に締結することで両側から指圧されてテーパ部に沿って外側に付勢する一対の第２部材とを備え、第１部材と第２部材とに平坦面を有して中空孔内での回転を防止させてネジを締結することが好ましい。また、重錘の他の実施例は、ネジと、このネジの締結部に挿通して終端で頭部に当接させたゴムなどの軟質材からなる圧縮部材と、ネジの締結部に締結させて圧縮部材を頭部側に指圧して外側に付勢させるナットとを備え、このナットと圧縮部材とに平坦面を有して中空孔内での回転を防止させてネジを締結することが好ましい。また、中空孔は、キューの中心に穿設した穴内に平坦面を有して重錘を摺動可能に収納するパイプ材を内在して形成することが好ましい。また、重錘は、ネジの形状またはネジを形成するジュラルミン或いはステンレスなどの材質を変えることで、重心位置を変える重さを調節可能に設けることが好ましい。また、キューは、球を突く先端側を形成するシャフトと、後端側を形成するバットとを連結してなり、このバットに中空孔を穿設して重錘を収納することが好ましい。また、重錘は、キューの中空孔内に挿入した状態で、ネジの頭部に係合して所望位置に摺動させて回転して固定するとともに、この固定後に頭部から外れて取り出せる工具を用いて着脱及び調節することが好ましい。
【発明の効果】
【００１１】
以上、詳細に説明したように本発明によるキューの重心調節構造によれば、キュー全体における重心位置を変える時の重さを、キューの中空孔内に収納した重錘のネジにより容易に調節可能なため、キュー全体のバランスを変えずに重さのみを変える場合や、キュー全体の重さを変えずにバランスのみを変える場合に適した構造に形成することができる。
又、本発明によるキューの重心調節構造によれば、キューの中空孔内に重錘をネジの締結によりしっかりと固定できるため、球を撞く際に異音の発生がなく、故障の原因になることも防止できる。
【発明を実施するための最良の形態】
【００１２】
次に、添付図面を参照して本発明によるキューの重心調節構造の実施の形態を詳細に説明する。図１は、本発明によるキューの重心調節構造の実施形態を示す構成図である。また、図２は、図１に示した重錘１０の内部構造を示す図である。また、図３は、図１に示した重錘１０の取付け状態を示す図であり、図３（ａ）は取付け前の状態を、図３（ｂ）は取付け途中の状態を、図３（ｃ）は取付け後の状態を各々示している。また、図４は、図１に示した中空孔２ａ内に重錘１０を固定する工具２０を示す図である。また、図５は、図４に示したＢ―Ｂ線の断面を示す断面図である。また、図６は、ネジ１６の頭部１６ａと工具２０との係合構造を示す図である。また、図７は、図２に示した平坦面Ａを有した中空孔の他の実施例を示す図である。また、図８は、図２に示した重錘の他の実施例を示す図である。
【実施例】
【００１３】
図１に示すように、本発明によるキューの重心調節構造の実施形態は、ビリヤードの球を突く先端側を形成するシャフト４と後端側を形成するバット２とを連結してなる棒状のキュー１を設け、このキュー１のバット２内中心に中空孔２ａを穿設して後端から摺動自在の重錘１０を収納して重心位置を変える構造に形成している。また、本実施の形態では、図２に示すように、バット２内に穿設した中空孔２ａと、この内部に嵌入する摺動自在な重錘１０との嵌合面に、各々回転を防止する２つの平坦面Ａを有し、断面形状が円形の両側を切り欠いたＩカット状になるように形成している。そして、本実施の形態では、図１及び図２に示したように、平坦面Ａを備えて中空孔２ａ内で回転を防止した重錘１０に重さ調節用のネジ１６を内在して締結することで、この重錘１０の外側がネジ１６の頭部１６ａと締結部１６ｂと（図２参照）により摺動方向両端を圧縮されて中空孔２ａ内で外側に付勢して所望位置に固定し、キュー１の重心位置を調節可能に設けている。
【００１４】
ここで、重錘１０は、図２に示したように、頭部１６ａ及び締結部１６ｂを一体に形成したネジ１６と、このネジ１６を挿通して両端から中心に向かって傾斜して広がるテーパ部１４ａを有した第１部材１４と、この第１部材１４両側のテーパ部１４ａに各々係合して一方がネジ１６の頭部１６ａ側に配置されて他方がネジ１６の締結部１６ｂに締結することで両側から指圧してテーパ部１４ａに沿って外側に付勢する一対の第２部材１２とを備えている。この第１及び第２部材１４、１２は、例えば、樹脂材などの弾性を有した材質からなり、前述した平坦面Ａを備えて中空孔２ａと同じＩカット状の断面形状に形成して回転を防止している。
【００１５】
この際、第２部材１２は、図２に示した筒状両側の平坦面Ａに切り欠き部１２ａを設け、第１部材１４のテーパ部１４ａに沿って外側に開いて付勢するように形成している。また、第１部材１４は、両側に傾斜して延在するテーパ部１４ａの端部側に段差を有した段差部１４ｂを備え、この段差部１４ｂを第２部材１２の筒状内に係合して取付けるように形成している。より詳しく説明すると、第１部材１４の段差部１４ｂは、図３（ａ）に示すように、第２部材１２の筒状内に形成した段差状の係合部１２ｂに係合して係止するように設けている。従って、第１部材１４の両側に筒状の第２部材１２を各々嵌入することで、図３（ｂ）に示すように、段差部１４ｂと係合部１２ｂとがお互いに係合して容易に外れることなく一体に装着することができる。そして、この第１部材１４及び第２部材１２は、図３（ａ）に示したように、内部中心を中空に形成してネジ１６を挿通できるように設けてあり、図３（ｂ）に示したようにネジ１６を内在して一体に組み立て可能に設けている。
【００１６】
また、第２部材１２は、第１部材１４両側のテーパ部１４ａに各々係合させてネジ１６を装着することで、一方がネジ１６の頭部１６ａ側に配置され、他方がネジ部１２ｃを有してネジ１６の締結部１６ｂと締結するように形成している。これにより第２部材１２は、図３（ｃ）に示すように、ネジ１６を徐々に締結すると、このネジ１６の頭部１６ａと締結部１６ｂとにより両側から指圧されて第１部材１４のテーパ部１４ａに沿って外側に開くように付勢し、図１に示した中空孔２ａ内の所望位置に重錘１０を固定することができる。
【００１７】
ここで、重錘１０は、図１に示したように、中空孔２ａの内部に収納した後、所望位置への摺動と、ネジ１６を回転させる固定とを、中空孔２ａ内に外側から工具２０（図６参照）を差し込むことで実行している。この工具２０は、図４に示すように、プレイヤーが把持する保持部２２と、この保持部２２から細長く棒状に延在する延在部２４と、この延在部２４の先端に多角柱（図４では四角柱）状に延在する係合部２６とを一体に形成している。そして、係合部２６には、外周側面にボール２８を一部突出させて配置しており、図５に示すように内部でボール２８をバネなどの弾性部材２９により外側に付勢して突出させている。
【００１８】
一方、ネジ１６は、図６に示したように、頭部１６ａの後端中心に工具２０の多角柱状に形成した係合部２６を嵌合して係合する凹状の係合穴Ｃを設けており、この係合穴Ｃ内の周囲各面に貫通して係合部２６のボール２８を嵌入して係止する嵌入穴Ｄを穿設している。従って、ネジ１６は、キュー１の中空孔２ａ内に挿入した状態（図１参照）で、この中空孔２ａ内に工具２０の係合部２６を差し込んで頭部１６ａの係合穴Ｃに係合させ、所望位置に摺動させて回転して固定するとともに、この固定後に頭部１６ａから外して取り出すことで容易に着脱及び調節することが可能になる。
【００１９】
ところで、本実施の形態では、中空孔２ａをバット２のみに形成した実施例を説明したが、これに限定されるものではなく、例えば、図９に示した従来技術のように、バットからシャフトまで中空孔を連設することも可能である。また、この中空孔２ａは、図１及び図２に示したキュー１（バット２）中心に直接穿設する実施例を説明したが、例えば、強化木などの木材によりキューを形成した場合、図２に示したバット２の中心に平坦面Ａを備えて所定の長さに穿設することは困難になる。そこで、キュー１の中心には、図７に示すように、断面が円形の穴２ａを穿設し、この穴２ａ内に平坦面Ａを有した筒状のパイプ材６を挿入して固定することで、重錘１０の回転を防止して摺動可能に収納することも可能である。
【００２０】
さらに、重錘１０は、図２に示した第１部材１４及び第２部材１２を設けてネジ１６を締結することに限定するものではなく、例えば、ネジにゴムなどの軟質材からなる圧縮部材を介在して外側に付勢させてもよい。このような圧縮部材を用いた重錘３０は、図８に示すように、ネジ３６と、このネジ３６の締結部３６ｂに挿通して終端で頭部３６ａに当接させたゴムなどの軟質材からなる圧縮部材３２と、ネジ３６の締結部３６ｂに締結させて圧縮部材３２を頭部３６ａ側に指圧して外側に付勢（図８に示した点線）させるナット３４とを備え、このナット３４と圧縮部材３２とに各々平坦面Ａを有して中空孔２ａ（図１参照）内での回転を防止させてネジ３６を締結するように形成している。ここでネジ３６は、図６に示したネジと同じ構成要素であり、頭部３６ａに嵌合孔Ｃ及び嵌入孔Ｄを備えて工具２０によりキュー１内に着脱可能に設けている。また、圧縮部材３２は、ネジ３６の頭部３６ａに当接する端部に平坦面Ａを有したワッシャー３８を介在させて締結時に頭部３６ａの摩擦で磨耗することを防止している。
【００２１】
このように形成された重錘の他の実施例によると、ネジ３６を締結することでキュー１の中空孔２ａ内（図１参照）で圧縮部材３２が外側に付勢して固定することが可能なため、図２に示した重錘と同様の効果を得ることができるとともに、圧縮部材３２とナット３４とによる簡単な構造に形成でき、部品点数を削減して部品のコストも大幅に低減することが可能になる。
【００２２】
次に、このような本発明によるキューの重心調節構造によりキューの重心を調節する動作を、図１乃至６に示した一実施形態を用いて詳細に説明する。まず、重錘１０は、図３（ａ）に示した第１部材１４両側の段差部１４ｂに第２部材１２の係合部１２ｂを合わせて嵌合することで第１部材１４に第２部材１２を取付けるとともに、この中心にネジ１６を挿通し、図３（ｂ）に示したように全ての部品を一体に組み立てる。このように一体に組み立てた重錘１０は、図２に示したバット２の中空孔２ａ内に平坦面Ａを合わせてネジ１６の締結部１６ｂ側を先端にして嵌入し、図１に示したように中空孔２ａ内の所望位置まで押し込んで固定する。この際、重錘１０は、キュー１（バット２）の中空孔２ａ内に収納した状態で、図６に示した工具２０を用いて、ネジ１６の頭部１６ａに係合して所望位置に摺動させて回転して固定するとともに、この固定後に頭部１６ａから取り外すことで着脱及び調節できる。
【００２３】
また、重錘１０は、ネジ１６の形状、またはネジ１６を形成するジュラルミン或いはステンレスなどの材質を変えることで、キュー１全体の重心位置を変える重さの調節を可能にしている。即ち、キュー１全体のバランスを変えずに重さのみを変える場合や、キュー１全体の重さを変えずにバランスのみを変える場合に、ほぼネジ１６のみで調節可能な簡単な構造になり、キュー１全体のコストを低減し、且つ、各プレイヤーの体格や好みに合わせたキューを容易に得ることが可能になる。
【００２４】
このように本発明によるキューの重心調節構造の実施形態によると、図１に示したように、キュー１全体における重心位置を変える時の重さを、キュー１の中空孔２ａ内に収納した重錘１０内のネジ１６の形状またはネジ１６を形成する材質を変えることで容易に調節可能になるため、キュー１全体のバランスを変えずに重さのみを変える場合や、キュー１全体の重さを変えずにバランスのみを変える場合に適した構造に形成することができる。
又、本発明によるキューの重心調節構造の実施形態によると、キュー１の中空孔２内に重錘１０をネジ１６の締結によりしっかりと固定できるため、球を撞く際に異音の発生がなく、故障の原因になることも防止できる。
【００２５】
以上、本発明によるキューの重心調節構造の実施形態を詳細に説明したが、本発明は前述した実施の形態に限定されるものではなく、その要旨を逸脱しない範囲で変更可能である。
例えば、シャフト及びバットの２本を連結して棒状体に形成した実施例を詳細に説明したが、これに限定されるものではなく、例えば、一本または２本以上連結して形成することも可能である。
【図面の簡単な説明】
【００２６】
【図１】本発明によるキューの重心調節構造の実施形態を示す構成図。
【図２】図１に示した重錘の内部構造を示す図。
【図３】図１に示した重錘の取付け状態を示す図。
【図４】図１に示した中空孔内に重錘を固定する工具を示す図。
【図５】図４に示したＢ―Ｂ線の断面を示す断面図。
【図６】ネジの頭部と工具との係合構造を示す図。
【図７】図２に示した平坦面Ａを有した中空孔の他の実施例を示す図。
【図８】図２に示した重錘の他の実施例を示す図。
【図９】従来のキューの重心調節構造の一実施形態を示す構成図。
【図１０】図９に示したＥ−Ｅ線の断面を示す断面図。
【符号の説明】
【００２７】
１    キュー
２    バット
２ａ  中空孔
４    シャフト
１０    重錘
１２    第２部材
１２ａ  切り欠き部
１２ｂ  係合部
１４    第１部材
１４ａ  テーパ部
１４ｂ  段差部
１６    ネジ
１６ａ  頭部
１６ｂ  締結部
２０    工具
【図１】
2005261600.tif 000003
【図２】
2005261600.tif 000004
【図３】
2005261600.tif 000005
【図４】
2005261600.tif 000006
【図５】
2005261600.tif 000007
【図６】
2005261600.tif 000008
【図７】
2005261600.tif 000009
【図８】
2005261600.tif 000010
【図９】
2005261600.tif 000011
【図１０】
2005261600.tif 000012